(57)【特許請求の範囲】
【請求項１】
中央錠箱１１内に、操作部材１６の操作力に起因して水平方向に移動する出没ボルト２２と係脱する係止部材２５を有する出没ボルト自動係脱機構２０、前記操作部材の操作力により回転する駆動源２６に連結された上同期杆１４並びに該駆動源２６の駆動力により回転する従動部材６０に連結された下同期杆１５を前記出没ボルトの後退と同期して前記中央錠箱側へと引き戻す同期杆牽引機構２１及び前記従動部材６０用の自動ロック機構７０をそれぞれ備えた扉用錠止装置Ｘであって、前記自動ロック機構７０は、弧状摺接部３２を有する前記出没ボルト２２と摺接することができるように配設され、かつ第１付勢バネ７３により付勢された昇降動部材７１と、この昇降動部材７１の昇降動に追従して回転し、かつ第２付勢バネ８２により付勢された従動係止片８０と、この従動係止片８０の係止爪８４と係脱することができるように前記従動部材６０の一側面に一体的に添設された補足ロック片９０とから成ることを特徴とする扉用錠止装置。
【請求項２】
請求項１に於いて、補足ロック片９０は、従動部材に形成された切欠部６５を貫通する第６固定枢軸９２を介して従動部材に添設され、しかも、従動部材６０と補足ロック片９０は、補足ロック片の案内長孔９３と、この案内長孔９３に係合する従動部材の先端部係合ピン６３とにより、一体的に連結されていることを特徴とする扉用錠止装置。
【請求項３】
請求項１に於いて、昇降動部材７１は、第４固定枢軸７２に案内されるように出没ボルト２２の下方に配設され、上部には出没ボルト２２を滑動するローラ７５を備え、一方、下部にはＬ型状従動係止片８０の上端部８０ａに形成された弧状の摺接面８３と圧接する摺動ピン７７が設けられていることを特徴とする扉用錠止装置。
【発明の詳細な説明】
【０００１】
【発明の属する技術分野】
本発明は、建物に設置された扉用錠止装置に関する。
【０００２】
【従来の技術】
一般に建物に設置された大型扉を錠でロックする場合、扉枠に設けられた受け金具との係脱関係の確実性、容易性等の点を考慮する必要がある。特に大型扉が、俗に「自由扉」であり、操作部材の操作により室内側又は室外側のいずれにでも開くことができる場合には、これらの点を十分に考慮した錠が要求される。
【０００３】
例えば扉を扉枠に対して閉鎖した時に、錠箱のデッドボルトが受け金具に整合しないと、デッドボルトは受け金具のストライクに当接し、スムースにストライクの係合孔に入り込まない。また扉を開いた時にデッドボルトが錠箱から出てしまうと、扉を簡単に閉じることができないと言う問題が生じる。
【０００４】
また大型扉を錠でロックする場合、扉の中央部と、扉の上部と、扉の下部とで、いわゆる３点ロックするのが望ましい。そこで、現在、上記係脱関係の確実性、容易性を考慮しながら、大型扉の中心部に出没ボルト（例えばデッドボルト）を有する中央錠箱を取付け、操作部材の操作に起因して出没する出没ボルトと共に、扉の上部錠箱用の上同期杆並びに扉の下部ロック或いは下部錠箱用の下同期杆が同期的に昇降動する大型扉用錠止装置の出現が要望されている。この場合下同期杆は自重があるので、例えば前記中央錠箱に内装した自動ロック機構により、操作部材の押し下げ操作乃至扉を開けている間は、牽引されたままの（例えばロック解除）状態にする必要がある。また扉を閉じた瞬間に、少なくとも出没ボルトが自動的に対応する受け金具に確実に係合すると共に、上述した扉の下部ロック或いは下部錠箱用の下同期杆も同期的に落下することが望ましい。
【０００５】
【発明が解決しようとする課題】
本発明は以上のような従来の要望に鑑み、第１の目的は、扉を開けようとする操作部材の操作に起因して中央錠箱の出没ボルトが後退し、これに同期して扉の上部用の上同期杆並びに下部用の下同期杆が同期的に中央錠箱の方向へとそれぞれ牽引されることである。第２の目的は、扉を開けている間中央錠箱の出没ボルトは常に錠箱内に引っ込んだままであり、また上同期杆及び下同期杆も牽引されたままの状態が保持されていることである。第３の目的は、扉を閉じると、その瞬間に、出没ボルトが受け金具へと自動的に飛び出して確実に係合すると共に、同時に扉上部用の上同期杆が自動的に上昇し、一方、扉下部用の下同期杆は自動ロック機構による係止状態が直ちに解消され、その自重により落下することである。第４の目的は、操作部材の操作により回転する駆動体の回転量に対応し、上同期杆及び下同期杆の牽引量（ストローク）を十分に得ることができることである。第５の目的は、中央錠箱内に組込まれた出没ボルトの自動係脱機構と、上下の同期杆用牽引機構と、下同期杆を牽引する従動部材用の自動ロック機構とをそれぞれ合理的に構成することである。
【０００６】
【課題を解決するための手段】
本発明の扉用錠止装置は、中央錠箱１１内に、操作部材１６の操作力に起因して水平方向に移動する出没ボルト２２と係脱する係止部材２５を有する出没ボルト自動係脱機構２０、前記操作部材の操作力により回転する駆動源２６に連結された上同期杆１４並びに該駆動源２６の駆動力により回転する従動部材６０に連結された下同期杆１５を前記出没ボルトの後退と同期して前記中央錠箱側へと引き戻す同期杆牽引機構２１及び前記従動部材６０用の自動ロック機構７０をそれぞれ備えた扉用錠止装置Ｘであって、前記自動ロック機構７０は、弧状摺接部３２を有する前記出没ボルト２２と摺接することができるように配設され、かつ第１付勢バネ７３により付勢された昇降動部材７１と、この昇降動部材７１の昇降動に追従して回転し、かつ第２付勢バネ８２により付勢された従動係止片８０と、この従動係止片８０の係止爪８４と係脱することができるように前記従動部材６０の一側面に一体的に添設された補足ロック片９０とから成ることを特徴とする。
【０００７】
上記構成に於いて、補足ロック片９０は、従動部材に形成された切欠部６５を貫通する第６固定枢軸９２を介して従動部材に添設され、しかも、従動部材６０と補足ロック片９０は、補足ロック片の案内長孔９３と、この案内長孔９３に係合する従動部材の先端部係合ピン６３とにより、一体的に連結されていることを特徴とする。
【０００８】
また、昇降動部材７１は、第４固定枢軸７２に案内されるように出没ボルト２２の下方に配設され、上部には出没ボルト２２を滑動するローラ７５を備え、一方、下部にはＬ型状従動係止片８０の上端部８０ａに形成された弧状の摺接面８３と圧接する摺動ピン７７が設けられていることを特徴とする。
【０００９】
【発明の実施の形態】
以下、図面に示す本発明の実施の形態を建物に設置した大型扉の一例で説明する。まず図１は、例えば室内側又は室外側のいずれの側にでも自由に開くことができる大型扉（以下、「扉」と言う。）に、水平方向の出没ボルトを有する中央錠箱と、例えば垂直出没ボルトを有する上部及び下部錠箱とをそれぞれ取付け、中央錠箱側のレバーハンドルを操作すると、垂直方向の上下の同期杆を介し、前記水平出没ボルト及び垂直出没ボルトが同期的に各錠箱にそれぞれ後退する発明の実施の形態の概略説明図である。
【００１０】
そこで、図１を参照に大まかに符号を付すと、１は扉枠で、この扉枠１の縦枠及び上部横枠には、それぞれストライクを有するケース状の受け金具２、３が固定的に取付けられている。４は前記縦枠の受け金具２に固定的に設けられた第１磁性体、５は上部横枠の受け金具３に固定的に設けられた第２磁性体、６は床面等に埋設された受け金具７内の第３磁性体である。これらの磁性体４、５、６は比較的磁力の強い永久磁石が使用されている。
【００１１】
１０は扉で、この扉１０の中央部には、錠止装置の出没ボルト自動係脱機構２０、上下の同期杆牽引機構２１、及び下同期杆を牽引する従動部材用自動ロック機構７０を有する中央錠箱１１が固定的に設けられている。１２は扉１０の上端部に固定的に取付けられた上部錠箱である。１３は扉１０の下端部に固定的に取付けられた下部錠箱である。１４は下端部が中央錠箱１１の上壁１１ａに一方、上端部が上部錠箱１２の底壁１２ａにそれぞれ貫通状態に差し込まれた上方の同期用連結杆（以下、「上同期杆」と言う。）である。１５は上端部が中央錠箱１１の底壁１１ｂに、一方、下端部が下部錠箱１３の上壁１３ａにそれぞれ貫通状態に差し込まれた下方の同期用連結杆（以下、「下同期杆」と言う。）である。そして、１６は前記中央錠箱１１に取付けられた操作部材（例えばレバーハンドル）である。
【００１２】
ところで、本発明の「発明の実施の形態」での扉用錠止装置Ｘは、出没ボルト自動係脱機構２０、同期杆牽引機構２１及び従動部材用自動ロック機構７０を有する中央錠箱１１と、この中央錠箱１１に対向するように扉枠１の縦枠に取付けられ、かつ、第１磁性体４を有する受け金具２と、前記中央錠箱１１に垂直方向に差し込まれた上同期杆１４並びに下同期杆１５とから成る。
【００１３】
なお、発明の実施の形態の一例を示した図１に於いて、上方の垂直出没ボルト１７及びその上方係止部材１８を有する上部錠箱１２の錠装置Ｙと、下部錠箱１３の錠装置Ｚとを同様に示しているが、必ずしも同一構成である必要はない。例えば下部錠箱１３を有する錠装置Ｚを設けないで、床面等に下同期杆１５の下端部が嵌入する係止具のみを設けても良い。
【００１４】
次に本発明の扉用錠止装置Ｘについて説明する。錠止装置Ｘの中央錠箱１１内には、一応機構を区分けすると、出没ボルト自動係脱機構２０と、同期杆牽引機構２１と、従動部材６０用自動ロック機構７０がそれぞれ設けられている。
【００１５】
ここで「出没ボルトの自動係脱機構」とは、操作部材を操作しながら扉を開くと、錠箱内に後退した出没ボルトが係止部材によって自動的に係止された状態となり、一方、扉を閉めると、受け金具側の磁性体の極性に対応して駆動する前記係止部材が回転し、これにより係止部材の係止状態が解除されることを言う。また「同期杆牽引機構」とは、操作部材を操作すると、出没ボルトの錠箱への後退と同期して上同期杆並びに下同期杆が錠箱側に引き戻されることを言う。さらに、「従動部材用自動ロック機構」とは、操作部材の操作に起因して牽引された下同期杆が落下しないように、扉の閉鎖により出没ボルトが飛び出すまで下同期杆牽引用従動部材を一時的にロックすることを言う。
そこで、図２乃至図８を参照に出没ボルトの自動係脱機構２０、同期杆牽引機構２１及び従動部材６０用自動ロック機構７０の各具体的構成について説明する。図２は扉１０を閉めた状態に於ける中央錠箱（以下、「錠箱」と言う。）１１内の各部材の概略説明図である。
【００１６】
まず水平方向の出没ボルト２２について説明する。この出没ボルト２２は、錠箱１１の一部を構成するフロント板２３の開口縁部２３ａと、錠箱１１の側板の内壁面に少なくとも一端部がカシメ固定された図示しない支持板とにより水平状態に支持されている。この水平方向の出没ボルト２２は、出没ボルトの自動係脱機構２０及び同期杆牽引機構２１に関わり合っている。すなわち、出没ボルト２２は、自動係脱機構２０を構成する係止部材２５や同期杆牽引機構２１を構成する駆動体２６とそれぞれ係合関係にある。
【００１７】
そこで、２７はフロント板２３の開口縁部２３ａに支持される矩形状頭部である。この頭部２７と連設する首状ボルト本体２８の後端部には、交差方向に駆動体２６の第１係合腕２９が当接係合する係合受け部３０が一体的に設けられている。３１はボルト本体２８の上側に水平方向に形成された係合溝の一例であるラックである。３２は首状ボルト本体２８の下側に形成された弧状摺接部である。３３は前記係合受け部３０の後壁に突出形成されたバネ受け部である。
【００１８】
しかして、出没ボルト２２は、前記バネ受け部３３と錠箱１１内に固定されかつ上同期杆１４のスライド片３５を案内するバネ支持片３６との間に設けられた第１のバネ部材３７により突出方向に付勢されている。
【００１９】
ここで、本発明の作動態様を示す各図面について簡単に説明する。図２は前述したように扉１０を閉めた状態である。この状態で図示しない錠箱１１内の本施錠機構が作動し、出没ボルト２２はロックされる。図３は図２に於いて、扉１０を開けようとし、操作部材１６を下方方向へ操作した状態である。この場合駆動体２６が時計方向へ回転することにより、出没ボルト２２が錠箱内に後退すると共に、上同期杆１４並びに下同期杆１５は錠箱（矢印）方向に牽引される。図４は図３に於いて、扉１０を開き、かつ、操作者が操作部材１６から手を放した状態である。この場合扉１０を開いた瞬間出没ボルト２２が自動係脱機構２０の係止部材２５により自動的に係止され、そのまま操作者が操作部材１６から手を放しても（操作部材がそのバネ部材のバネ力により元の位置に復帰しても）、係止部材２５に係止されている状態が維持されている。
【００２０】
そこで、出没ボルト２２の自動係脱機構２０について説明する。自動係脱機構２０は、錠箱１１内に後退した出没ボルト２２を、扉１０を開いている間係止部材２５により係止し、錠箱１１内に引っ込んだままの状態にし、一方、扉１０を閉めると、対向する磁性体４の極性（反発又は吸着）に対応して駆動する前記係止部材２５のトリガー４０により、その係止を自動的に解除する。
【００２１】
したがって、自動係脱機構２０は、前述した受け金具２の第１磁性体４と、一端部に第１磁性体４の極性に対応して（本実施例では）反発する対向磁性体４１を有するＬ型状のトリガー４０と、このトリガー４０の他端部に形成された係合爪４２に係止される係合歯部（係合溝の一例）４３及び出没ボルト２２のラック３１と噛合するピニオン部４４を一体的に有する係止歯車（或いは係止レバー）４５とから成る。それ故に、自動係脱機構２０の係止部材２５は、トリガー４０と係止歯車４５の二物品で構成されている。
【００２２】
ここで、図５を参照に係止部材２５の具体的な構成について説明する。まず係止部材２５のトリガー４０は、第１固定枢軸４７を介して出没ボルト２２の頭部２７の上方に配設されている。「Ｌ」或いは「く」の字状のトリガー４０は、第１固定枢軸４７に中央部が巻装されたトリガーバネ４８により、常時反時計方向（係止歯車と係合する方向）に付勢されている。またトリガー４０の対向磁性体４１は、フロント板２３に形成された開口４９に臨み、扉閉鎖（施錠）時には受け金具２の第１磁性体４に対峙可能である。一方、トリガー４０の係合爪４２は、出没ボルト２２の一側面に対向するように位置付けられ、係止歯車４５の係合歯部４３と係脱可能である。次に係止部材２５の係止歯車４５は、第２固定枢軸５０を介して出没ボルト２２のボルト本体２８の近傍に配設されている。係止歯車４５は、いわば変形歯車構造体である。その係合歯部４３は、本実施例では半径方向に延びた前記係合爪４２と係脱するラチェット歯（セレクター歯面）となっている。一方、係合歯部４３の一側面にその半径が小さい状態で一体的に設けられたピニオン部４４は、常に出没ボルト２２のラック３１と噛合している。
【００２３】
次に同期杆牽引機構２１について説明する。この同期杆牽引機構２１の中心となる部材は駆動体２６である。この駆動体２６は、前述したようにその第１係合腕２９が出没ボルト２２の係合受け部３０と常に係合し、かつ、操作部材１６としての内側レバーハンドル又は外側レバーハンドルによって回動するように錠箱１１内に配設されている。
【００２４】
そこで、まず駆動体２６の構成について説明する。５２は円筒状の中央部で、この中央部５２には、主としてレバーハンドル用操作軸が嵌合する角軸孔５３が形成されている。５４は中央部５２の下方に連設する幅広の第２係合腕である。図２又は図３を基準に第２係合腕５４乃至第１係合腕２９の形態を全体観察すると、２本の指を開いた状態の親指乃至人差し指形状の外観を呈している。
【００２５】
しかして、親指に相当する第２係合腕５４の先端部は、錠箱１１内に縦方向に内装された上同期杆用スライド片３５の下端部３５ａ内に入込んでいる。そして、前記先端部には、前記下端部３５に形成された第１案内孔５５に余裕をもって係合する第１駆動係合ピン５６が突設されている。また第２係合腕５４の角軸孔５３寄りの基部には、駆動体２６の下方に軸支された下同期杆牽引用従動部材６０と摺接係合する第２駆動係合ピン５７が突設されている。
【００２６】
符号の５８、５９は駆動体２６の中央部５２の左右に配設された第１及び第２ストッパーピンである。右側の第１ストッパーピン５８は、駆動体２６の第２係合腕５４によって形成された湾内周壁面に当接し、一方、左側の第２ストッパーピン５９は、駆動体２６の第２係合腕５４の基部周壁面に当接する。したがって、駆動体２６は所定角度内で回動する。なお、特に図示しないが駆動体２６の中央部５２の突出する一側面には、駆動体２６を常時反時計方向に付勢する駆動バネが巻装されている。それ故に、駆動体２６は操作部材１６の押し下げ操作により時計方向へ回転しても、常態（操作部材１６から手を放した時）では、駆動バネの復帰力により、図４で示す状態に復帰する。
【００２７】
次に駆動体２６と共に同期杆牽引機構２１を構成する従動部材６０について説明する。この従動部材６０は、全体として小魚（例えば金魚）形状に形成され、第３固定枢軸６１を介して駆動体２６の下方に配設されている。
【００２８】
しかして、６２は背びれ部に形成され、かつ、駆動体２６の第２駆動係合ピン５７と係合する係合突起である。６３は目の部分に突出形成された先端部係合ピンである。一方、６４は尾ビレの部分に突出形成された後端部係合ピンで、この後端部係合ピンは後述する下方の短いスライド片９９の第２案内孔９９ａに係合する。この場合、短いスライド片９０の方に係合ピンを設け、一方、尾ビレ部分に案内孔を形成しても良い。そして、６５はエラの部分にやや幅広く形成され長孔状切欠部である。
【００２９】
最後に従動部材６０用自動ロック機構７０について説明する。この自動ロック機構７０は、大別すると三個の部材で構成されている。
【００３０】
すなわち、まず７１は第４固定枢軸７２を介して出没ボルト２２の下方に交差方向に配設された昇降動部材である。この昇降動部材７１はフロント板２３に添うように配設された縦型部材であり、前記第４固定枢軸７２に中央部が巻装された第１付勢バネ（押し上げバネ）７３により常時出没ボルト２２の方向に付勢されている。
【００３１】
しかして、７５は縦型昇降動部材の上端部に軸支され、かつ、出没ボルト２２の頭部２７の下面及びボルト本体２８の弧状摺接部３２をそれぞれ滑動するローラである。７６は昇降動部材の中央部（中央部寄りの部位も含む）に形成された垂直案内長孔で、前記第４固定枢軸７２がこの垂直案内長孔７６を貫通している。７７は昇降動部材の下端部に突設された摺動ピンである。なお、７８昇降動部材の一側壁の適宜箇所に形成された第１付勢バネ７３の他端部支持用切欠部である。
【００３２】
次に８０は第５固定枢軸８１を介して縦型昇降動部材７０の下方に配設された従動係止片である。この従動係止片８０は、前記第５固定枢軸８１に中央部が巻装された第２付勢バネ８２により、前記摺動ピン７７に圧接する方向或いは後述する補足ロック片９０に係合する（反時計）方向に常時付勢されている。
【００３３】
しかして、従動係止片８０は、全体としてＬ型状に形成されている。そして、錠箱１１のフロント板２３と対向する上端部８０ａ側の左側面は、湾曲状或いは「逆く」の字状の摺接面８３となっており、この摺接面８３が摺動ピン７７に圧接する。一方、前記上端部８０ａに対して角度方向に延びて錠箱１１の底壁１１ｂと対向する下端部８０ｂには、補足ロック片９０の係合溝の一例であるラチェット歯（セレクター歯）９１と係脱する係止爪８４が形成されている。
【００３４】
次に前記補足ロック片９０は、前述した長孔状切欠部６５を貫通する第６固定枢軸９２を介して従動部材６０に一側面に添設されている。しかも、補足ロック片９０の半径方向に延びる他端部には案内長孔９３が形成され、この案内長孔９３に従動部材６０の先端部係合ピン６３が係合している。したがって、従動部材６０は前記先端部係合ピン６３を介して補足ロック片９０に一体的に連結されていると共に、前記補足ロック片９０と従動係止片８０との係脱を介して従動係止片８０にロックされ、又はそのロックが解除される。なお、前述した第１乃至第６固定枢軸４７、５０、６１、７２、８１、９２は錠箱１１に適宜横設軸架されている。
【００３５】
次に同期杆牽引機構２１によって錠箱方向へ牽引される上同期杆１４及び下同期杆１５について説明する。まず上同期杆１４は駆動体２６の駆動力により牽引されるが、本実施例では錠箱１１の後壁１１ｃに沿って内装された縦長状スライド片３５を介して下降する。この場合スライド片３５は、錠箱内の上部に固定されたアングル状の上方案内片９５及び前述したバネ支持片３６に案内され、かつ、該スライド片３５の一側面に添設された押し上げバネ９６のバネ力に抗して下降する。前記押し上げバネ９６の下端部は、錠箱内の中央部の適宜箇所に固定されたＬ型状のバネ受け片９７に支持され、一方、その上端部はスライド片３５の中央部に突設されたバネ受け水平部９８に支持されている。
【００３６】
次に下同期杆１５は駆動体２６の駆動力により反時計方向に回転する従動部材６０を介して牽引されるが、本実施例では、さらに錠箱１１の後壁１１ｃに沿って内装された短いスライド片９９を介して下降する。この場合短いスライド片９９は、錠箱内の下部に固定されたアングル状の下方案内片１００を介して上昇する。
【００３７】
上記構成に於ける作用について説明する。まず錠箱１１内の図示しない本施錠機構が解錠状態となり、扉１０を開けようとして操作部材１６を下方方向へ押し下げると、図２の状態から図３の状態となる。この場合駆動体２６が時計方向へ回転し、これにより出没ボルト２２が錠箱１１内に後退すると共に、上同期杆１４並びに下同期杆１５は錠箱（矢印）方向に牽引される。
【００３８】
そこで、各機構２０、２１、７０を構成する各部材の同期的な動きについて具体的に説明する。操作部材１６の操作に起因し、駆動体２６が時計方向へ回転すると、出没ボルト２２は駆動体２６の第１係合腕２９により第１バネ部材３７のバネ力に抗して後退する。
【００３９】
しかして、係止部材２５の係止歯車４５は、そのピニオン部４４が出没ボルト２２のラック３１に噛合しているため、反時計方向に回転する。その結果、係止部材２５の係合歯部４３は下向き状態となる。また長板状のスライド片３５は、駆動体２６の第２係合腕５４により押し上げバネ９６のバネ力に抗して下降する。また下同期杆牽引用従動部材６０は、駆動体２６の第２駆動係合ピン５７により第３固定枢軸６１を支点に反時計方向に回転する。さらに、昇降動部材７１は、その上方のローラ７５が出没ボルト２２の弧状摺接面３２を滑動しながら出没ボルト２２の頭部２７の下面に至るので、第４固定枢軸７２並びに垂直案内長孔７６に案内されながら第１付勢バネ７３のバネ力に抗して下降する。この時第２付勢バネ８２で付勢されている従動係止片８０は、昇降動部材７１の下降に追動し反時計方向に回転する。この場合従動係止片８０は、昇降動部材７１の摺動ピン７７が従動係止片８０の弧状摺接面８３を拾うことになるので、第２付勢バネ８２のバネ力により第５固定枢軸８１を支点に回転する。そして、従動係止片８０の係止爪８４は、従動部材６０の先端部係合ピン６３を介して第６固定枢軸９２を支点に反時計方向に回転する補足ロック片９０のラチェット歯９１を１つ１つ越えながらその１つに係合する。これにより、従動部材６０は補足ロック片９０を介して従動係止片８０に係止される。
【００４０】
そこで、図４は図３に於いて、操作者が扉１０を開き、かつ、操作部材１６から手を放した状態である。この場合扉１０を開いた瞬間出没ボルト２２が自動係脱機構２０の係止部材２５により自動的に係止され、そのまま操作者が操作部材１６から手を放しても係止部材２５に係止されている状態が維持されている。
【００４１】
前述したように、自動係脱機構２０の係止部材２５は、トリガーバネ４８により係合方向に常時付勢されたトリガー４０と、出没ボルト２２と噛合する係止歯車４５とで構成されているから、受け金具２の第１磁性体４から離れたトリガー４０は、瞬時に反時計方向に回転し、その係合爪４２は係止歯車４５の係合歯部４５に係合する。これにより、出没ボルト２２はトリガー４０及び係止歯車４５を介して係止され、トリガー４０がトリガーバネ４８のバネ力に抗して係合解除の方向へ回転しない限り、錠箱１１内に引っ込んだままである。
【００４２】
ところで、上記の場合に於いて、操作者が操作部材１６から手を放すと、操作部材１６はその駆動バネのバネ力により元の位置に復帰する。その結果、駆動体２６は反時計方向に回転し、長板状のスライド片３５は押し上げバネ９６のバネ力により上昇するが、従動部材６０は時計方向へは回転しない。すなわち、駆動体２６が反時計方向に回転すると、従動部材６０用の第２駆動係合ピン５７は従動部材６０の上方の弧状周側面を摺接しながら位置を変えて多少下降するが、従動部材６０は前述したように自動ロック機構７０の従動係止片８０等で係止されているため、そのまま下同期杆１５を牽引した状態を保持している。
【００４３】
なお、扉１０が開いた状態で上同期杆１４が上昇しても、扉上部の錠装置Ｙの垂直出没ボルト１７は解錠状態である。この垂直出没ボルト１７は、扉１０を閉じた際に第２磁性体５と対峙する上方係止部材１８の回転によりその係止状態が解かれる構成となっている。
【００４４】
そこで、図７及び図８は、扉枠１に対して扉１０を閉めた瞬間の各概略説明図である。扉１０を閉めると図２の状態に成る。まず図７に示す状態を説明する。錠箱１１のトリガー４０の対向磁性体４１が、対応する受け金具２の第１磁性体４に対峙すると、本実施例では磁性体４と対向磁性体４１は互いに反発し、トリガー４０はトリガーバネ４８のバネ力に抗して係合解除の方向へ回転する。その結果、係止部材２５の出没ボルト２２に対する係止が自動的に解除され、出没ボルト２２は第１バネ部材３７のバネ力により錠箱１１から突出する。この場合係止部材２５の係止歯車４５は矢印で示すように時計方向に回転する。
【００４５】
次に図８に示す状態について説明する。出没ボルト２が矢印方向に移動すると、第１付勢バネ７３により付勢されている昇降動部材７１は出没ボルト２の下面を滑動するローラ７５を介して上昇する。この時従動係止片８０は昇降動部材７１の摺動ピン７７により押し退けられ、第２付勢バネ８２のバネ力に抗して時計方向に回転する。その結果、従動係止片８０の係止爪８４が補足ロック片９０から離れ、従動部材６０は第３固定軸６１を支点に時計方向へ回転し、下同期杆１５が下降する。この時前記補足ロック片９０は従動部材６０の回転に追動し、第６固定枢軸９２を支点に同方向に回転する。
【００４６】
【実施例】
本発明の自動係脱機構２０の一例は、扉１０を閉めると、対峙する磁性体同志の極性（反発）に対応して駆動する係止部材２５のトリガー４０が時計方向へ回転し、その結果、係止部材２５の係止が自動的に解除される。ところで、この場合当業者であれば、例えば図３を基準に錠箱１１内のトリガー４０を反転した実施例を極めて容易に考えることができる。このように設計変更した実施例は、トリガー４０の対向磁性体４１は下方に位置し、一方、トリガー４０の係合爪４２が係止歯車４５の係合歯部４３に係脱可能になるように上方に位置する。しかして、この場合係合歯部４３の形成位置を多少変える必要があるが、扉１０を閉めると、対向する磁性体同志の極性（吸着）に対応して駆動するトリガー４０が時計方向へ回転し、その結果、前記係合爪４２が係止歯車４５の係合歯部４３から離れる。したがって、本実施例の係止部材２５のトリガー４０は、受け金具２の第１磁性体４の極性（反発、又は吸着）に対応して回転し、その結果、係止歯車４５から自動的に係止が解除されれば良い。
【００４７】
なお、本発明の実施例に於いては、複数個の可動ピン（例えば５６、６２、６４等）と、これらの可動ピンに係合する案内長孔との関係は、任意に設計変更することができる。
【００４８】
【発明の効果】
以上の説明から明らかなように、本発明にあっては次に列挙するような効果がある。
（１）扉を開けようとする操作部材の操作に起因して中央錠箱の出没ボルトが後退し、これに同期して扉の上部ロック用の上同期杆並びに下部ロック用の下同期杆が同期的に中央錠箱の方向へとそれぞれ牽引される。
（２）また扉を開けている間、中央錠箱の出没ボルトは常に錠箱内に引っ込んだままであり、また上同期杆及び下同期杆も牽引されたままの状態が保持される。
（３）さらに、扉を閉じると、その瞬間に、出没ボルトが受け金具へと自動的に飛び出して確実に係合すると共に、同時に扉上部ロック用の上同期杆が自動的に上昇し、一方、扉下部ロック用の下同期杆は自動ロック機構による係止状態が直ちに解消され、その自重により落下する。
（４）したがって、特に自由扉式の大型扉に本発明の機構を採用した場合に、扉の開閉操作が非常に容易であると共に、扉閉鎖の瞬時に「３箇所以上」で扉を自動的にロックすることができる。
（５）中央錠箱内に組込まれた出没ボルトの自動係脱機構、上下の同期杆用牽引機構、及び下同期杆を牽引する従動部材用の自動ロック機構を構成する各部材が合理的に組み合わされている。特に下同期杆１５は、駆動体２６の第２係合腕５４によって回転する従動部材６０を介して上方に牽引されるので、駆動体の回転量に対応して下同期杆の牽引量（ストローク）を十分に得ることができる。
【図面の簡単な説明】
図１乃至図８は本発明の一実施例を示す各説明図。
【図１】発明の実施形態の一例を示す概略説明図。
【図２】扉を閉じた時の錠箱の内部構造を示す概略説明図。
【図３】図２に於いて、操作者が操作部材を操作した時の状態の説明図。
【図４】図３に於いて、操作者が扉を開きかつ操作部材から手を放した状態の説明図。
【図５】係止部材と出没ボルトの関係を示す概略説明図。
【図６】要部（補足ロック片、従動部材等）の概略説明図。
【図７】扉を閉めた瞬間の自動係脱機構の状態を示す概略説明図。
【図８】扉を閉めた瞬間の自動ロック機構の状態を示す概略説明図。
【符号の説明】
Ｘ…錠止装置、Ｙ、Ｚ…錠装置、１…扉枠、２、３、７…受け金具、４…第１磁性体、５…第２磁性体、６…第３磁性体、１０…扉、１１…錠箱、１１ａ…錠箱の上壁、１２…上部錠箱、１２ａ…底壁、１３…下部錠箱、１３ａ…下部錠箱の上壁、１４…上同期杆、１５…下同期杆、２０…出没ボルト自動係脱機構、２１…同期杆牽引機構、２２…出没ボルト、２３…フロント板、２５…係止部材、２６…駆動体、２９…第１係合腕、３１…係合溝（ラック）、３２…弧状摺接面、３５…長板状スライド片、３６…バネ支持片、４０…トリガー、４１…対向磁性体、４２…係合爪、４３…係合歯部、４４…ピニオン部、４５…係止歯車、４７…第１固定枢軸、４８…トリガーバネ、５０…第２固定枢軸、５４…第２係合腕、５５…第１案内孔、５６…第１駆動係合ピン、５７…第２駆動係合ピン、６０…従動部材、６１…第３固定枢軸、６２…係合突起、６３…先端部係合ピン、６４…後端部係合ピン、７０…自動ロック機構、７１…昇降動部材、７２…第４固定枢軸、７３…第１付勢バネ、７５…ローラ、７６…垂直案内長孔、７７…摺動ピン、８０…従動係止片、８１…第５固定枢軸、８２…第２付勢バネ、８３…摺接面、８４…係止爪、９１…ラチェット歯、９２…第６固定枢軸、９３…案内長孔、９９…短いスライド片。
【図１】
0004118987.tif 000002
【図２】
0004118987.tif 000003
【図３】
0004118987.tif 000004
【図４】
0004118987.tif 000005
【図５】
0004118987.tif 000006
【図６】
0004118987.tif 000007
【図７】
0004118987.tif 000008
【図８】
0004118987.tif 000009